(57)【要約】      （修正有）【課題】複数のアプリケーションそれぞれに対応するアプリケーションインターフェースを表示装置に同時に表示する方法、装置および電子機器を提供する。【解決手段】電子機器が、第１のアプリケーションに対応するインターフェースを表示するとき、ユーザーの第１の入力操作を取得し、第１の入力操作が第１の所定操作である場合、予め設定された相関情報に従って、第１のアプリケーションに対応するインターフェースと第２のアプリケーションに対応するインターフェースとを同時に表示する。相関情報は、第２のアプリケーションが第１のアプリケーションと相関するアプリケーションであることを示すのに用いられる。現在開かれているアプリケーションインターフェース上に、ユーザーの第１の入力操作と予め設定された相関情報とに従って、画面上に提示されるアプリケーションが決定され、アプリケーションに対応するインターフェースが表示される。【選択図】図１
2020053065.tif 000002
【特許請求の範囲】
【請求項１】
モバイルユーザデバイスであって、
タッチ画面と、
コンピュータにより実行可能なプログラムコードを記憶する非一時的なコンピュータ可読メモリと、
前記タッチ画面及び前記非一時的なコンピュータ可読メモリに接続されるプロセッサと、
を有し、
前記プロセッサは、
前記タッチ画面上に第１のアプリケーションに対応する第１のインタフェースを表示する処理と、
前記第１のアプリケーションに対応する前記インタフェース上の第１の入力操作に応答して、前記タッチ画面上に前記第１のアプリケーションに対応する第２のインタフェースと第２のアプリケーションに対応する第３のインタフェースとを同時に表示する処理であって、前記第１のアプリケーションに対応する前記第２のインタフェースは前記第１のアプリケーションに対応する前記第１のインタフェースの一部であり、前記第２のアプリケーションはカメラである、表示する処理と、
前記第２のアプリケーションに対応する前記第３のインタフェースに対する第２の入力操作を受信する処理と、
前記第２の入力操作に従って前記第２のアプリケーションによって写真を撮像する処理であって、前記第２のアプリケーションによって撮像される前記写真のサイズは前記第２のアプリケーションに対応する前記第３のインタフェースのサイズによって決定される、撮像する処理と、
前記第１のアプリケーションに対応する前記第２のインタフェース上に第１の情報を表示する処理であって、前記第１の情報は前記写真又は前記写真に関連する情報である、表示する処理と、
を前記モバイルユーザデバイスに実行させる前記コンピュータにより実行可能なプログラムコードを実行するよう構成されるモバイルユーザデバイス。
【請求項２】
前記プロセッサは、
前記タッチ画面上の前記第１のアプリケーションに対応する前記第２のインタフェースと前記第２のアプリケーションに対応する前記第３のインタフェースとの間の分割画面比が可変である処理を前記モバイルユーザデバイスに更に実行させる前記コンピュータにより実行可能なプログラムコードを実行するよう構成される、請求項１記載のモバイルユーザデバイス。
【請求項３】
第３のアプリケーションが前記モバイルユーザデバイスにインストールされ、前記プロセッサは、
前記第２のアプリケーションに対応する識別子と前記第３のアプリケーションに対応する識別子とを表示する処理を前記モバイルユーザデバイスに更に実行させる前記コンピュータにより実行可能なプログラムコードを実行するよう構成される、請求項１又は２記載のモバイルユーザデバイス。
【請求項４】
前記プロセッサは、
前記第３のアプリケーションに対応する前記識別子を選択する第４の入力操作を受信する処理と、
前記第１のアプリケーションに対応する前記第２のインタフェースと前記第３のアプリケーションに対応する第４のインタフェースとを同時に表示する処理と、
を前記モバイルユーザデバイスに更に実行させる前記コンピュータにより実行可能なプログラムコードを実行するよう構成される、請求項３記載のモバイルユーザデバイス。
【請求項５】
モバイルユーザデバイスによって実行される表示方法であって、
タッチ画面上に第１のアプリケーションに対応する第１のインタフェースを表示するステップと、
前記第１のアプリケーションに対応する前記インタフェース上の第１の入力操作に応答して、前記タッチ画面上に前記第１のアプリケーションに対応する第２のインタフェースと第２のアプリケーションに対応する第３のインタフェースとを同時に表示するステップであって、前記第２のアプリケーションはカメラであり、前記第１のアプリケーションに対応する前記第２のインタフェースは前記第１のアプリケーションに対応する前記第１のインタフェースの一部である、表示するステップと、
前記第２のアプリケーションに対応する前記第３のインタフェースに対する第２の入力操作を受信するステップと、
前記第２の入力操作に従って前記第２のアプリケーションによって写真を撮像するステップであって、前記第２のアプリケーションによって撮像される前記写真のサイズは前記第２のアプリケーションに対応する前記第３のインタフェースのサイズによって決定される、撮像するステップと、
前記第１のアプリケーションに対応する前記第２のインタフェース上に第１の情報を表示するステップであって、前記第１の情報は前記写真又は前記写真に関連する情報である、表示するステップと、
を有する表示方法。
【請求項６】
当該方法は更に、
前記タッチ画面上の前記第１のアプリケーションに対応する前記第２のインタフェースと前記第２のアプリケーションに対応する前記第３のインタフェースとの間の分割画面比を変更するステップを更に有する、請求項５記載の表示方法。
【請求項７】
第３のアプリケーションが前記モバイルユーザデバイスにインストールされ、統合方法は更に、
前記第２のアプリケーションに対応する識別子と前記第３のアプリケーションに対応する識別子とを表示するステップを有する、請求項５又は６記載の表示方法。
【請求項８】
当該方法は更に、
前記第３のアプリケーションに対応する前記識別子を選択する第４の入力操作を受信するステップと、
前記第１のアプリケーションに対応する前記第２のインタフェースと前記第３のアプリケーションに対応する第４のインタフェースとを同時に表示するステップと、
を有する、請求項７記載の表示方法。
【請求項９】
請求項５乃至８何れか一項記載の方法をモバイルユーザデバイスに実行させるプログラムを記録したコンピュータ可読媒体。
【発明の詳細な説明】
【技術分野】
【０００１】
本発明の実施形態は通信技術に関し、特に、アプリケーションインターフェースを表示する方法、装置および電子機器に関する。
【背景技術】
【０００２】
携帯電話のカメラの撮影品質と画面の表示品質がますます高くなっているので、ユーザーは携帯電話を用いて写真を撮り、写真を見てシェアすることが多くなっている。したがって、カメラとフォトギャラリーはより頻繁に使用されている。
【０００３】
カメラとフォトギャラリーは互いに相関する。すなわち、この２つには操作上の順序関係がある。従来技術では、カメラとフォトギャラリーに対するユーザーの操作は独立している。この２つのモジュールの関連は、ユーザーが撮影した写真を確認するために、カメラにより、フォトギャラリーに入るためのタップやスライドが提供されることにある。したがって、ユーザーが撮影した写真を見る機能しか満足されず、モジュール間のインタラクションの柔軟性に乏しく、また、ユーザーエクスペリエンスも悪い。
【発明の概要】
【０００４】
本発明の実施形態は、アプリケーションインターフェースを表示する方法、装置および電子機器を提供し、電子機器のアプリケーション間のインタラクションの柔軟性を改善し、ユーザーエクスペリエンスを向上させる。
【０００５】
第１の態様によれば、本発明の実施形態は、アプリケーションインターフェースを表示する方法を提供する。本方法は、
電子機器が、第１のアプリケーションに対応するインターフェースを表示するとき、ユーザーの第１の入力操作を取得するステップと、
第１の入力操作が第１の所定操作である場合、予め設定された相関情報に従って、第１のアプリケーションに対応するインターフェースと、第２のアプリケーションに対応するインターフェースとを同時に表示するステップであって、相関情報は、第２のアプリケーションが第１のアプリケーションと相関するアプリケーションであることを示すのに用いられる、ステップと、
を有する。
【０００６】
第１の態様に関して、第１の態様の第１の可能な実施方式では、予め設定された相関情報に従って、第１のアプリケーションに対応するインターフェースと第２のアプリケーションに対応するインターフェースとを同時に表示するとき、本方法は更に、
第２のアプリケーションに対応するインターフェースに対するユーザーの第２の入力操作を受信するステップと、
第２のアプリケーションが第２の入力操作に従って決定した第１のデータを、第１のアプリケーションに伝達するステップ、または、
第１のアプリケーションに対応するインターフェースに対するユーザーの第３の入力操作を受信するステップと、
第１のアプリケーションが第３の入力操作に従って決定した第２のデータを、第２のアプリケーションに伝達するステップと、
を有する。
【０００７】
第１の態様の第１の可能な実施方式に関して、第１の態様の第２の可能な実施方式では、第２の入力操作に従って第２のアプリケーションによって決定された第１のデータを第１のアプリケーションに伝達するステップの後、本方法は更に、第１のアプリケーションに対応するインターフェースに第１の情報を表示するステップであって、第１の情報は第１のデータまたは第１のデータに関連する情報であるステップを有するか、または、
第３の入力操作に従って第１のアプリケーションによって決定された第２のデータを第２のアプリケーションに伝達するステップの後、本方法は更に、第２のアプリケーションに対応するインターフェースに第２の情報を表示するステップであって、第２の情報は第２のデータまたは第２のデータに関連する情報である、ステップを有する。
【０００８】
第１の態様または第１の態様の第１もしくは第２の可能な実施方式に関して、第１の態様の第３の可能な実施方式では、本方法は更に、
第１の入力操作が第２の所定操作である場合、予め設定された相関情報に従って、表示中のインターフェースを第１のアプリケーションに対応するインターフェースから第２のアプリケーションに対応するインターフェースに切り替えるステップ、
を有する。
【０００９】
第１の態様および第１の態様の第１〜第３の可能な実施方式のうちいずれか１つに関して、第１の態様の第４の可能な実施方式では、第１の入力操作は、スライド操作、タップ操作、マルチタッチ操作、ボタン入力、セットポジション入力、タッチアンドホールド入力、音声入力および重力感知操作のうちいずれか１以上である。
【００１０】
第１の態様の第４可能な実施方式に関して、第１の態様の第５の可能な実施方式では、第１の入力操作は第１のスライド操作であり、第１の入力操作が第１の所定操作である場合に予め設定された相関情報に従って第１のアプリケーションに対応するインターフェースと第２のアプリケーションに対応するインターフェースとを同時に表示するステップは、
第１のスライド操作に対応するスライド速度またはスライド距離が第１の所定値未満である場合、予め設定された相関情報に従って、第１のアプリケーションに対応するインターフェースと第２のアプリケーションに対応するインターフェースとを同時に表示するステップ、
を有する。
【００１１】
第１の態様の第４の可能な実施方式に関して、第１の態様の第６の可能な実施方式では、第１の入力操作はマルチタッチ操作であり、第１の入力操作が第１の所定操作である場合に予め設定された相関情報に従って第１のアプリケーションに対応するインターフェースと第２のアプリケーションに対応するインターフェースとを同時に表示するステップは、
複数の接触点のうちの接触点間の距離が漸減し、且つ、複数の接触点のうち２つの接触点の距離の減少値が第１の所定距離値以上である場合、予め設定された相関情報に従って、第１のアプリケーションに対応するインターフェースと第２のアプリケーションに対応するインターフェースとを同時に表示するか、または、
複数の接触点のうちの接触点間の距離が漸増し、且つ、複数の接触点のうち２つの接触点の距離の増加値が第２の所定距離値以上である場合、予め設定された相関情報に従って、第１のアプリケーションに対応するインターフェースと第２のアプリケーションに対応するインターフェースとを同時に表示する、ステップ、
を有する。
【００１２】
第１の態様および第１の態様の第１〜第６の可能な実施方式のうちいずれか１つに関して、第１の態様の第７の可能な実施方式では、第２のアプリケーションが複数あり、第１の入力操作が第１の所定操作である場合に予め設定された相関情報に従って第１のアプリケーションに対応するインターフェースと第２のアプリケーションに対応するインターフェースとを同時に表示するステップは、特に、
第１の入力操作が第１の所定操作である場合、予め設定された相関情報に従って、第１のアプリケーションに対応するインターフェース上に、複数の第２のアプリケーションの各第２のアプリケーションに対応する識別子別々に表示するステップと、
複数の第２のアプリケーションに対応する識別子から１以上の識別子を選択するユーザーの操作を受信するステップと、
第１のアプリケーションに対応するインターフェースと１以上の識別子によって識別されるアプリケーションに対応するインターフェースとを同時に表示するステップと、
を有する。
【００１３】
第１の態様および第１の態様の第１〜第７の可能な実施方式のうちいずれか１つに関して、第１の態様の第８の可能な実施方式では、第１のアプリケーションと相関するアプリケーションは、予め設定されるか、または、ユーザーによる第１のアプリケーションおよび第２のアプリケーションの使用履歴に従って決定される。
【００１４】
第２の態様によれば、本発明の実施形態は、アプリケーションインターフェースを表示する装置を提供する。本装置は、
第１のアプリケーションに対応するインターフェースを表示するように構成される表示モジュールと、
表示モジュールが第１のアプリケーションに対応するインターフェースを表示するとき、ユーザーの第１の入力操作を受信するように構成される取得モジュールと、
第１の処理ユニットを有する処理モジュールであって、第１の処理ユニットは、第１の入力操作が第１の所定操作である場合、予め設定された相関情報に従って、表示モジュールに、第１のアプリケーションに対応するインターフェースと第２のアプリケーションに対応するインターフェースとを同時に表示するように命令するように構成され、相関情報は、第２のアプリケーションが第１のアプリケーションと相関するアプリケーションであることを示すのに用いられる、処理モジュールと、
を有する。
【００１５】
第２の態様に関して、第２の態様の第１の可能な実施方式では、取得モジュールは更に、表示モジュールが第１のアプリケーションに対応するインターフェースと第２のアプリケーションに対応するインターフェースとを同時に表示するとき、第２のアプリケーションに対応するインターフェースに対するユーザーの第２の入力操作を受信するように構成され、
第１の処理ユニットは更に、第２のアプリケーションが第２の入力操作に従って決定した第１のデータを、第１のアプリケーションに伝達するように構成される。
【００１６】
第２の態様に関して、第２の態様の第２の可能な実施方式では、取得モジュールは更に、表示モジュールが第１のアプリケーションに対応するインターフェースと第２のアプリケーションに対応するインターフェースとを同時に表示するとき、第１のアプリケーションに対応するインターフェースに対するユーザーの第３の入力操作を受信するように構成され、
第１の処理ユニットは更に、第１のアプリケーションが第３の入力操作に従って決定した第２のデータを、第２のアプリケーションに伝達するように構成される。
【００１７】
第２の態様の第１の可能な実施方式に関して、第２の態様の第３の可能な実施方式では、処理モジュールは更に、
第１の処理ユニットが第２のアプリケーションが第２の入力操作に従って決定した第１のデータを第１のアプリケーションに伝達した後、表示モジュールに、第１のアプリケーションに対応するインターフェースに第１の情報を表示するように命令するように構成されるであって、第１の情報は第１のデータまたは第１のデータに関連する情報である、第２の処理ユニット、
を有する。
【００１８】
第２の態様の第２の可能な実施方式に関して、第２の態様の第４の可能な実施方式では、処理モジュールは更に、
第１の処理ユニットが第１のアプリケーションが第３の入力操作に従って決定した第２のデータを第２のアプリケーションに伝達した後、表示モジュールに、第２のアプリケーションに対応するインターフェースに第２の情報を表示するように命令するように構成される第３の処理ユニットであって、第２の情報は第２のデータまたは第２のデータに関連する情報である、第３の処理ユニット、
を有する。
【００１９】
第２の態様および第２の態様の第１〜第４の可能な実施方式のうちいずれか１つに関して、第２の態様の第５の可能な実施方式では、処理モジュールは更に、
第１の入力操作が第２の所定操作である場合、予め設定された相関情報に従って、表示モジュールに、表示中のインターフェースを第１のアプリケーションに対応するインターフェースから第２のアプリケーションに対応するインターフェースに切り替えるように命令するように構成される第４の処理ユニット、
を有する。
【００２０】
第２の態様および第２の態様の第１〜第５の可能な実施方式のうちいずれか１つに関して、第２の態様の第６の可能な実施方式では、第１の入力操作は、スライド操作、タップ操作、マルチタッチ操作、ボタン入力、セットポジション入力、タッチアンドホールド入力、音声入力および重力感知操作のうちいずれか１以上である。
【００２１】
第２の態様の第６の可能な実施方式に関して、第２の態様の第７の可能な実施方式では、第１の入力操作は第１のスライド操作であり、第１の処理ユニットは、特に、
第１のスライド操作に対応するスライド速度またはスライド距離が第１の所定値未満である場合、予め設定された相関情報に従って、表示モジュールに、第１のアプリケーションに対応するインターフェースと第２のアプリケーションに対応するインターフェースとを同時に表示するように命令するように構成される。
【００２２】
第２の態様の第６の可能な実施方式に関して、第２の態様の第８の可能な実施方式では、第１の入力操作はマルチタッチ操作であり、第１の処理ユニットは、特に、
複数の接触点のうちの接触点間の距離が漸減し、且つ、複数の接触点のうち２つの接触点の距離の減少値が第１の所定距離値以上である場合、予め設定された相関情報に従って、表示モジュールに、第１のアプリケーションに対応するインターフェースと第２のアプリケーションに対応するインターフェースとを同時に表示するように命令するか、または、
複数の接触点のうちの接触点間の距離が漸増し、且つ、複数の接触点のうち２つの接触点の距離の増加値が第２の所定距離値以上である場合、予め設定された相関情報に従って、表示モジュールに、第１のアプリケーションに対応するインターフェースと第２のアプリケーションに対応するインターフェースとを同時に表示するように命令するように構成される。
【００２３】
第２の態様および第２の態様の第１〜第８の可能な実施方式のうちいずれか１つに関して、第２の態様の第９の可能な実施方式では、第２のアプリケーションが複数あり、第１の処理ユニットは更に、
第１の入力操作が第１の所定操作である場合、予め設定された相関情報に従って、表示モジュールに、第１のアプリケーションに対応するインターフェース上に、複数の第２のアプリケーションの各第２のアプリケーションに対応する識別子を別々に表示するように命令し、
複数の第２のアプリケーションに対応する識別子から１以上の識別子を選択するユーザーの操作を取得モジュールが受信した後、表示モジュールに、第１のアプリケーションに対応するインターフェースと１以上の識別子によって識別されるアプリケーションに対応するインターフェースとを同時に表示するように命令するように構成される。
【００２４】
第２の態様および第２の態様の第１〜第９の可能な実施方式のうちいずれか１つに関して、第２の態様の第１０の可能な実施方式では、第１のアプリケーションと相関するアプリケーションは、予め設定されるか、または、ユーザーによる第１のアプリケーションおよび第２のアプリケーションの使用履歴に従って決定される。
【００２５】
第３の態様によれば、本発明の実施形態は電子機器を提供する。本電子機器は、
第１のアプリケーションに対応するインターフェースを表示するように構成される出力装置と、
出力装置が第１のアプリケーションに対応するインターフェースを表示するとき、ユーザーの第１の入力操作を受信するように構成される入力装置と、
第１の入力操作が第１の所定操作である場合、予め設定された相関情報に従って、出力装置に、第１のアプリケーションに対応するインターフェースと第２のアプリケーションに対応するインターフェースとを同時に表示するように命令するように構成されるプロセッサであって、相関情報は、第２のアプリケーションが第１のアプリケーションと相関するアプリケーションであることを示すのに用いられる、プロセッサと、
を有する。
【００２６】
第３の態様に関して、第３の態様の第１の可能な実施方式では、入力装置は更に、出力装置が第１のアプリケーションに対応するインターフェースと第２のアプリケーションに対応するインターフェースとを同時に表示するとき、第２のアプリケーションに対応するインターフェースに対するユーザーの第２の入力操作を受信するように構成され、
プロセッサは更に、第２のアプリケーションが第２の入力操作に従って決定した第１のデータを、第１のアプリケーションに伝達するように構成される。
【００２７】
第３の態様に関して、第３の態様の第２の可能な実施方式では、入力装置は更に、出力装置が第１のアプリケーションに対応するインターフェースと第２のアプリケーションに対応するインターフェースとを同時に表示するとき、第１のアプリケーションに対応するインターフェースに対するユーザーの第３の入力操作を受信するように構成され、
プロセッサは更に、第１のアプリケーションが第３の入力操作に従って決定した第２のデータを、第２のアプリケーションに伝達するように構成される。
【００２８】
第３の態様の第１の可能な実施方式に関して、第３の態様の第３の可能な実施方式では、プロセッサは更に、
第２のアプリケーションが第２の入力操作に従って決定した第１のデータを第１のアプリケーションに伝達した後、出力装置に、第１のアプリケーションに対応するインターフェースに第１の情報を表示するように命令するように構成され、第１の情報は第１のデータまたは第１のデータに関連する情報である。
【００２９】
第３の態様の第２の可能な実施方式に関して、第３の態様の第４の可能な実施方式では、プロセッサは更に、
第１のアプリケーションが第３の入力操作に従って決定した第２のデータを第２のアプリケーションに伝達した後、出力装置に、第２のアプリケーションに対応するインターフェースに第２の情報を表示するように命令するように構成され、第２の情報は第２のデータまたは第２のデータに関連する情報である。
【００３０】
第３の態様および第３の態様の第１〜第４の可能な実施方式の何れか１つに関して、第３の態様の第５の可能な実施方式では、プロセッサは更に、
第１の入力操作が第２の所定操作である場合、予め設定された相関情報に従って、出力装置に、表示中のインターフェースを第１のアプリケーションに対応するインターフェースから第２のアプリケーションに対応するインターフェースに切り替えるように命令するように構成される。
【００３１】
第３の態様および第３の態様の第１〜第５の可能な実施方式のうちいずれか１つに関して、第３の態様の第６の可能な実施方式では、第１の入力操作は、スライド操作、タップ操作、マルチタッチ操作、ボタン入力、セットポジション入力、タッチアンドホールド入力、音声入力および重力感知操作のうちいずれか１以上である。
【００３２】
第３の態様の第６の可能な実施方式に関して、第３の態様の第７の可能な実施方式では、第１の入力操作は第１のスライド操作であり、プロセッサが、第１の入力操作が第１の所定操作である場合、予め設定された相関情報に従って、出力装置に、第１のアプリケーションに対応するインターフェースと第２のアプリケーションに対応するインターフェースとを同時に表示するように命令することは、特に、
第１のスライド操作に対応するスライド速度またはスライド距離が第１の所定値未満である場合、プロセッサが、予め設定された相関情報に従って、出力装置に、第１のアプリケーションに対応するインターフェースと第２のアプリケーションに対応するインターフェースとを同時に表示するように命令することである。
【００３３】
第３の態様の第６の可能な実施方式に関して、第３の態様の第８の可能な実施方式では、第１の入力操作はマルチタッチ操作であり、プロセッサが、第１の入力操作が第１の所定操作である場合、予め設定された相関情報に従って、出力装置に、第１のアプリケーションに対応するインターフェースと第２のアプリケーションに対応するインターフェースとを同時に表示するように命令することは、特に、
複数の接触点のうちの接触点間の距離が漸減し、且つ、複数の接触点のうち２つの接触点の距離の減少値が第１の所定距離値以上である場合、プロセッサが、予め設定された相関情報に従って、出力装置に、第１のアプリケーションに対応するインターフェースと第２のアプリケーションに対応するインターフェースとを同時に表示するように命令するか、または、
複数の接触点のうちの接触点間の距離が漸増し、且つ、複数の接触点のうち２つの接触点の距離の増加値が第２の所定距離値以上である場合、プロセッサが、予め設定された相関情報に従って、出力装置に、第１のアプリケーションに対応するインターフェースと第２のアプリケーションに対応するインターフェースとを同時に表示するように命令することである。
【００３４】
第３の態様および第３の態様の第１〜第８の可能な実施方式のうちいずれか１つに関して、第３の態様の第９の可能な実施方式では、プロセッサが、第１の入力操作が第１の所定操作である場合、予め設定された相関情報に従って、出力装置に、第１のアプリケーションに対応するインターフェースと第２のアプリケーションに対応するインターフェースとを同時に表示するように命令することは、特に、
プロセッサが、第１の入力操作が第１の所定操作である場合、予め設定された相関情報に従って、出力装置に、第１のアプリケーションに対応するインターフェース上に、複数の第２のアプリケーションの各第２のアプリケーションに対応する識別子を別々に表示するように命令し、
複数の第２のアプリケーションに対応する識別子から１以上の識別子を選択するユーザーの操作を入力装置が受信した後、プロセッサが、出力装置に、第１のアプリケーションに対応するインターフェースと、アプリケーションによって特定された１以上の識別子に対応するインターフェースとを同時に表示するように命令することである。
【００３５】
第３の態様および第３の態様の第１〜第９の可能な実施方式のうちいずれか１つに関して、第３の態様の第１０の可能な実施方式では、第１のアプリケーションと相関するアプリケーションは、予め設定されるか、または、ユーザーによる第１のアプリケーションおよび第２のアプリケーションの使用履歴に従って決定される。
【００３６】
本発明の実施形態によれば、現在開かれているアプリケーションインターフェース上に、ユーザーの第１の入力操作と予め設定された相関情報とに従って、画面上に提示されるアプリケーションが決定され、アプリケーションに対応するインターフェースが表示される。よって、アプリケーション間の滑らかな接続が実現され、電子機器にインストールされたアプリケーション間のインタラクションの柔軟性が改善される。加えて、複数のアプリケーション（第１のアプリケーションおよび／または第２のアプリケーション）にそれぞれ対応するインターフェースは表示装置に同時に表示され、ユーザーエクスペリエンスを向上させることができる。
【図面の簡単な説明】
【００３７】
本発明の実施形態または従来技術の技術的構成をより明確に説明するために、以下、実施形態または従来技術を説明する際に必要となる添付の図面を簡単に紹介する。当然ながら、添付の図面は、以下の説明において、本発明のいくつかの実施形態を示すに過ぎない。当業者であれば、これらの添付の図面から創意工夫なく別の図面を更に導出できるであろう。
【００３８】
【図１】本発明に係るアプリケーションインターフェースを表示する方法の実施形態１の概略フローチャートである。
【００３９】
【図２】本発明に係るアプリケーションインターフェースを表示する方法の実施形態２のアプリケーションインターフェースの例示的な表示図である。
【００４０】
【図３】本発明に係るアプリケーションインターフェースを表示する方法の実施形態３のアプリケーションインターフェース例示的な表示図である。
【００４１】
【図４】フォトギャラリーに対応するインターフェースの例示図である。
【００４２】
【図５】カメラに対応するインターフェースの例示図である。
【００４３】
【図６】ショートメッセージサービスメッセージに対応するインターフェースの例示図である。
【００４４】
【図７】本発明に係るアプリケーションインターフェースを表示する方法の実施形態４における、ショートメッセージサービスメッセージに連絡先を埋め込む場合の例示図である。
【００４５】
【図８】本発明に係るアプリケーションインターフェースを表示する方法の実施形態４のアプリケーションインターフェースの例示的な表示図である。
【００４６】
【図９】連絡先に対応するインターフェースの例示図である。
【００４７】
【図１０】本発明に係るアプリケーションインターフェースを表示する方法の実施形態５における、連絡先と相関する他の任意のアプリケーションの例示図である。
【００４８】
【図１１】本発明に係るアプリケーションインターフェースを表示する方法の実施形態５における、連絡先インターフェースにショートメッセージサービスメッセージインターフェースを埋め込む場合の例示図である。
【００４９】
【図１２】本発明に係るアプリケーションインターフェースを表示する方法の実施形態５のアプリケーションインターフェースの例示的な表示図である。
【００５０】
【図１３】本発明に係るアプリケーションインターフェースを表示する装置の実施形態１の概略構造図である。
【００５１】
【図１４】本発明に係る電子機器の実施形態１の概略構造図である。
【発明を実施するための形態】
【００５２】
以下、本発明の実施形態において添付の図面を参照して、本発明の実施形態の技術的構成を明確且つ完全に説明する。当然ながら、説明される実施形態は本発明の実施形態の一部であって全部ではない。当業者が本発明の実施形態に基づいて創意工夫なく得た他の実施形態は全て、本発明の保護範囲に包含されるものとする。
【００５３】
本発明の実施形態によれば、デバイスにインストールされたアプリケーション間のインタラクションの柔軟性を改善し、したがってユーザーエクスペリエンスを向上させるために、現在開かれているアプリケーションインターフェース上に別のアプリケーションインターフェースが同時に提示され、よって、複数のアプリケーションインターフェースの分割画面表示が実現される。例えば、デバイスの２つのアプリケーションすなわちフォトギャラリーとカメラのインターフェースを表示し、これら２つのアプリケーションにおいて随時他方のモジュールにアクセスすることができる。加えて、カメラおよびフォトギャラリーのインターフェースの分割画面表示機能、すなわち、撮影と写真確認の操作を同時に実行する機能が設けられる。加えて、本発明の任意の実施形態において、「第１」や「第２」は、説明を簡単にするために異なるアプリケーションを区別するために用いられるに過ぎない。
【００５４】
具体的な実施形態を参照して、本発明の技術的構成を詳述する。以下のいくつかの具体的な実施形態は相互に組み合わされてよい。同じであるか類似する概念またはプロセスについては、いくつかの実施形態では詳細の説明を省略する場合がある。
【００５５】
図１は、本発明に係るアプリケーションインターフェースを表示する方法の実施形態１の概略フローチャートである。本発明の本実施形態は、アプリケーションインターフェースを表示する方法を提供する。本方法は、アプリケーションインターフェースを表示する装置を用いて実行されてよい。装置は電子機器に組み込まれ、電子機器は、パーソナルコンピューター（Personal  Computer、略称ＰＣ）、ノートパソコン、タブレットコンピューター、パーソナル・デジタル・アシスタント（Personal  Digital  Assistant、略称ＰＤＡ）、スマートフォン等の、任意の電子機器であってよい。図１に示されるように、アプリケーションインターフェースを表示する本方法は、以下のステップを有する。
【００５６】
Ｓ１０１．第１のアプリケーションに対応するインターフェースを表示するとき、電子機器がユーザーの第１の入力操作を取得する。
【００５７】
第１のアプリケーションに対応するインターフェースは、デバイスに表示される第１のアプリケーションのインターフェースを意味する。第１の入力操作は、ユーザーによって直接的に入力されてよく、例えば、スライド操作、タップ操作、マルチタッチ操作、ボタン入力、セットポジション入力、タッチアンドホールド入力または音声入力であってよく、ユーザーのアクションに従ってなされる応答であってもよく、例えばシェイクのような重力感知操作等であってよい。
【００５８】
例えば、ユーザーのジェスチャートリガ（例えば、リストの上から下にスライドする）を用いて、フォトギャラリーに対応するインターフェースにカメラのフレーミングインターフェースが導入される。このシナリオでは、フォトギャラリーが第１のアプリケーションであり、カメラが第２のアプリケーションであり、ユーザーのジェスチャートリガが、取得される第１の入力操作である。
【００５９】
Ｓ１０２．上述の第１の入力操作が第１の所定操作である場合、予め設定された相関情報に従って、第１のアプリケーションに対応するインターフェースと第２のアプリケーションに対応するインターフェースとを同時に表示する。相関情報は、第２のアプリケーションが第１のアプリケーションと相関するアプリケーションであることを示すのに用いられる。
【００６０】
第２のアプリケーションは１以上ある。具体的には、Ｓ１０１においてユーザーによって入力された第１の入力操作が取得された後、Ｓ１０２において、第１の入力操作と予め設定された相関情報とに従って、アプリケーションに対応するインターフェースが表示される。これは、３つの具体的なシナリオに対応する。
【００６１】
第１のシナリオ：第１のアプリケーションに対応するインターフェースの提示が継続される。
【００６２】
第２のシナリオ：第２のアプリケーションに対応するインターフェースが提示される。
【００６３】
第３のシナリオ：第１のアプリケーションに対応するインターフェースと、第２のアプリケーションに対応するインターフェースとが、同時に提示される。
【００６４】
加えて、本実施形態では、第１のアプリケーションと第２のアプリケーションの間に一定の関連が存在する。すなわち、ユーザーは、第１のアプリケーションを使用するとき、第２のアプリケーションの機能を連想するかもしれない。例えば、連絡先と通話、通話と通話履歴、撮影とフォトギャラリー、ショートメッセージサービスメッセージと入力方法、フォトギャラリーとプロンプト通信ソフトウェア、フォトギャラリーとソーシャルネットワーキングアプリケーションソフトウェアでは、ユーザーがそれらのアプリケーションを一緒に使用する可能性が非常に高い。したがって、それらのアプリケーションは相関するとみなされる。
【００６５】
加えて、第１のアプリケーションと相関するアプリケーションは、予め設定されるか、または、ユーザーによる第１のアプリケーションおよび第２のアプリケーションの使用履歴に従って決定される。例えば、電子機器は、ユーザーが第１のアプリケーションに対応するインターフェースに対して操作を実行し、第２のアプリケーションに対応するインターフェースに切り替え、その後に再び第１のアプリケーションに対応するインターフェースに切り替えた回数を記録する。回数が所定値（例えば５回）よりも多い場合、第２のアプリケーションは自動的に、第１のアプリケーションに関連するアプリケーションとして設定される。或いは、第２のアプリケーションを第１のアプリケーションと相関するアプリケーションとして設定する必要があるか否かについてユーザーに入力を促し、ユーザーの許可が得られた後、第２のアプリケーションを第１のアプリケーションと相関するアプリケーションとして設定する。
【００６６】
本発明の実施形態によれば、現在開かれているアプリケーションインターフェース上に、ユーザーの第１の入力操作と予め設定された相関情報とに従って、画面上に提示されるアプリケーションが決定され、アプリケーションに対応するインターフェースが表示される。よって、アプリケーション間の滑らかな接続が実現され、電子機器にインストールされたアプリケーション間のインタラクションの柔軟性が改善される。加えて、複数のアプリケーション（第１のアプリケーションおよび／または第２のアプリケーション）にそれぞれ対応するインターフェースが表示装置に同時に表示され、ユーザーエクスペリエンスを向上させることができる。
【００６７】
図１に示される実施形態では、電子機器が予め設定された相関情報に従って、第１のアプリケーションに対応するインターフェースと第２のアプリケーションに対応するインターフェースとを同時に表示する場合、アプリケーションインターフェースを表示する本方法は更に、第２のアプリケーションに対応するインターフェースに対するユーザーの第２の入力操作を受信し、第２のアプリケーションが第２の入力操作に従って決定した第１のデータを、第１のアプリケーションに伝達するステップか、または、第１のアプリケーションに対応するインターフェースに対するユーザーの第３の入力操作を受信し、第１のアプリケーションが第３の入力操作に従って決定した第２のデータを、第２のアプリケーションに伝達するステップ、を有してよい。本実施形態が示すこととして、複数のアプリケーションに対応するインターフェースが同時に表示されるとき、Ａｎｄｒｏｉｄオペレーティングシステム（Ａｎｄｒｏｉｄ）とｉＰｈｏｎｅオペレーティングシステム（iphone  Operating  System、略称ｉＯＳ）のマルチタスク表示を区別するために、アプリケーションに対して更なる操作が実行されてよい。加えて、フローティングインターフェースを用いて電子機器に複数のアプリケーションが同時に表示される場合を区別するために、同時に表示される複数のアプリケーション間でデータが伝達されてよく、また、同時に表示される複数のアプリケーション間に予め設定される相関関係があってよい。
【００６８】
任意に、第２のアプリケーションが第２の入力操作に従って第１のデータを第１のアプリケーションに伝達するステップの後、アプリケーションインターフェースを表示する本方法は更に、第１のアプリケーションに対応するインターフェースに第１の情報を表示するステップであって、第１の情報は第１のデータまたは第１のデータに関連する情報である、ステップを有してよい。または、第１のアプリケーションが第３の入力操作に従って第２のデータを第２のアプリケーションに伝達するステップの後、アプリケーションインターフェースを表示する本方法は更に、第２のアプリケーションに対応するインターフェースに第２の情報を表示するステップであって、第２の情報は第２のデータまたは第２のデータに関連する情報である、ステップを有してよい。
【００６９】
上述の実施形態に基づき、アプリケーションインターフェースを表示する本方法は更に、第１の入力操作が第２の所定操作である場合、予め設定された相関情報に従って、表示中のインターフェースを第１のアプリケーションに対応するインターフェースから第２のアプリケーションに対応するインターフェースに切り替えるステップ、を有してよい。本実施形態が示すこととして、第１の入力操作が第１の所定操作でないとき、第１の入力操作が第２の所定操作であると決定される。また、表示中のインターフェースは、第１のアプリケーションに対応するインターフェースから第２のアプリケーションに対応するインターフェースに切り替えられる。よって、表示装置に表示されるアプリケーションインターフェースの切替え、すなわち、第１のアプリケーションに対応するインターフェースから第２のアプリケーションに対応するインターフェースへの切替えが実現される。
【００７０】
更に、上述の実施形態において、第１の入力操作は、スライド操作、タップ操作、マルチタッチ操作、ボタン入力、セットポジション入力、タッチアンドホールド入力、音声入力、重力感知操作等のうちいずれか１以上であってよい。以下、第１の入力操作がスライド操作であり、インターフェース内の複数の接触点間の面積のスケーリング操作である場合を例にとって、どのように第１の入力操作に従ってインターフェース表示を決定し実行するのかを詳述する。
【００７１】
一実施方式において、スライド操作は第１のスライド操作を含んでよく、第１の入力操作は第１のスライド操作であってよい。そして、第１の入力操作が第１の所定操作である場合に予め設定された相関情報に従って第１のアプリケーションに対応するインターフェースと第２のアプリケーションに対応するインターフェースとを同時に表示するステップは、第１のスライド操作に対応するスライド速度またはスライド距離が第１の所定値未満であるとき、予め設定された相関情報に従って、第１のアプリケーションに対応するインターフェースと第２のアプリケーションに対応するインターフェースとを同時に表示するステップ、を有してよい。任意に、第１のスライド操作に対応するスライド速度またはスライド距離が第１の所定値以上であるとき、予め設定された相関情報に従って、表示中のインターフェースを第１のアプリケーションに対応するインターフェースから第２のアプリケーションに対応するインターフェースに切り替えるステップ、を有してよい。
【００７２】
別の実施方式では、スライド操作は第２のスライド操作を含んでよく、第２の所定操作は第２のスライド操作であってよい。そして、第１の入力操作が第２の所定操作であるとき、表示中のインターフェースは、予め設定された相関情報に従って、第１のアプリケーションに対応するインターフェースから第２のアプリケーションに対応するインターフェースに切り替えられる。
【００７３】
更に別の実施方式において、第１の入力操作はマルチタッチ操作であり、第１の入力操作が第１の所定操作である場合、予め設定された相関情報に従って、第１のアプリケーションに対応するインターフェースと第２のアプリケーションに対応するインターフェースとを同時に表示するステップは、複数の接触点のうちの接触点間の距離が漸減し、且つ、複数の接触点のうち２つの接触点の距離の減少値が第１の所定距離値以上である場合、予め設定された相関情報に従って、第１のアプリケーションに対応するインターフェースと第２のアプリケーションに対応するインターフェースとを同時に表示するか、または、複数の接触点のうちの接触点間の距離が漸増し、且つ、複数の接触点のうち２つの接触点の距離の増加値が第２の所定距離値以上である場合、予め設定された相関情報に従って、第１のアプリケーションに対応するインターフェースと第２のアプリケーションに対応するインターフェースとを同時に表示するステップ、を有してよい。
【００７４】
本発明の上述の実施形態において、第１のアプリケーションに対応するインターフェースと第２のアプリケーションに対応するインターフェースとを同時に表示することについて、当業者であれば、第１のアプリケーションに対応するインターフェースと第２のアプリケーションに対応するインターフェースとを、表示装置に分割画面方式で表示することとして理解できるであろう。表示装置（例えば画面）上での第１のアプリケーションに対応するインターフェースと第２のアプリケーションに対応するインターフェースとの分割画面比は任意である。例えば、図２および図３に示されるように、第１のアプリケーションとしてフォトギャラリーが用いられ、第２のアプリケーションとしてカメラが用いられる。２つのアプリケーションに対応するインターフェースの画面上での分割画面比は可変であり、ユーザーは個人の好みに応じてリアルタイムで比率を設定することができる。
【００７５】
より具体的には、図４に示されるフォトギャラリー（第１のアプリケーション）に対応するインターフェースでは、スライドダウン操作（第１のスライド操作）が検出される。スライドダウン操作に対応するスライドダウン速度が第１の所定値未満である場合、予め設定された相関情報に従って、フォトギャラリーに対応するインターフェースとカメラ（第２のアプリケーション）に対応するインターフェースとが同時に表示される。また、図２または図３に示されるように、フォトギャラリーに対応するインターフェースとカメラに対応するインターフェースとが、分割画面方式で提示される。加えて、ユーザーがカメラのフレーミングインターフェースで撮影するとき、写真は下部のフォトギャラリープレビュー領域にリアルタイムでフィードバックされてよく、ユーザーはフォトギャラリーの写真をタップして、大きい写真を確認することができる。スライドダウン操作に対応するスライドダウン速度が第１の所定値以上である場合、第１の入力操作が第２の所定操作であると決定され、予め設定された相関情報に従って、表示中のインターフェースがフォトギャラリーに対応するインターフェースからカメラに対応するインターフェースに切り替えられ、図５に示されるように、カメラに対応するインターフェースが提示される。画面上でのカメラに対応するインターフェースのサイズにより、撮影された写真のサイズが決定されてよい。本実施形態では、ユーザーは、フォトギャラリーインターフェースでの上下のスライド操作により、カメラインターフェースにアクセスし、対応する撮影機能を実行することができる。同様に、ユーザーは、カメラインターフェースでの上下のスライド操作により、フォトギャラリーインターフェースにアクセスし、対応する写真表示機能を実行することができる。２つのアプリケーションすなわちカメラとフォトギャラリーを完全に統合すると、ユーザーにとって全体的に滑らかな接続体験を実現することができる。フォトギャラリーインターフェースと局所的撮影インターフェースとを同時に表示することにより、ユーザーは素早く写真撮影または動画撮影を行うことができ、フォトギャラリーにおいて、見た通りのものが結果に反映される効果を体験することができる。フォトギャラリーで写真を見る機能と局所的撮影の機能は、カメラインターフェース上でスライドを行うことによって実現される。カメラインターフェースで異なるスライド操作を実行することにより、異なるフォトギャラリーインターフェースへのアクセスがトリガされてよい。例えば、フル画面写真モードのフォトギャラリーインターフェースへのアクセスは、カメラインターフェース上で左にスライドする操作を実行することによってトリガされてよい。局所的撮影インターフェースまたはフォトギャラリーインターフェースへのアクセスは、カメラインターフェース上でスライドアップ操作を実行することによってトリガされてよい。
【００７６】
別の例として、図４に示されるフォトギャラリーに対応するインターフェースでは、プルダウン操作（第１のスライド操作）が検出される。プルダウン操作に対応するスライド距離が第１の所定値未満である場合、予め設定された相関情報に従って、フォトギャラリーに対応するインターフェースとカメラに対応するインターフェースとが同時に表示され、図２または図３に示されるように、フォトギャラリーに対応するインターフェースとカメラに対応するインターフェースとが分割画面方式で提示される。スライドダウン操作に対応するスライドダウン速度が第１の所定値以上である場合、予め設定された相関情報に従って、表示中のインターフェースがフォトギャラリーに対応するインターフェースアプリケーションからカメラに対応するインターフェースに切り替えられ、図５に示されるように、カメラに対応するインターフェースが提示される。同様に、ユーザーは、スライドアップして、フル画面のカメラのフレーミングインターフェースから、撮影とフォトギャラリーが共存するインターフェースに戻ることができる。これは説明用の例に過ぎず、これに従って別のシナリオを類推することができる。
【００７７】
上述の実施形態に基づき、例えばショートメッセージサービスメッセージと連絡先、ブラウザとお気に入り、ダイヤルと連絡先、通話履歴と連絡先等、別のアプリケーションのシナリオに同じ操作方式を拡張することができる。ショートメッセージサービスメッセージと連絡先のアプリケーションシナリオでは、ユーザーは、ショートメッセージサービスメッセージ（図６に示す）作成のインターフェースに、インターフェースをプルダウンすることにより、連絡先（図７に示す）を埋め込むことができる。選択された連絡先は受容領域（図８に示す）等に直接追加されてよく、その他の説明はここでは省略する。
【００７８】
任意に、第２のアプリケーションが複数あり、Ｓ１０２すなわち第１の入力操作が第１の所定操作である場合、予め設定された相関情報に従って、第１のアプリケーションに対応するインターフェースと第２のアプリケーションに対応するインターフェースとを同時に表示するステップは、特に、第１の入力操作が第１の所定操作である場合、予め設定された相関情報に従って、第１のアプリケーションに対応するインターフェース上に、複数の第２のアプリケーションの各第２のアプリケーションに対応する識別子を別々に表示するステップと、複数の第２のアプリケーションから１以上の識別子を選択するユーザーの操作を受信するステップと、操作によって選択された１以上のアプリケーションを、第１のアプリケーションと分割画面方式で表示されるアプリケーションとして、第１のアプリケーションに対応するインターフェースと、上述の１以上の識別子によって識別されるアプリケーションに対応するインターフェースとを、同時に表示するステップと、を有してよい。第１のアプリケーションに相関する第２のアプリケーションは、予め設定されるか、または、ユーザーによる第１のアプリケーションおよび第２のアプリケーションの使用履歴に従って決定される。
【００７９】
本実施形態では、第１のアプリケーションは複数の第２のアプリケーションと相関する。例えば、第１のアプリケーションに対応するインターフェースにおけるプルダウンにより、相関する必要のある第２のアプリケーションが選択されてよい。選択された後、第２のアプリケーションは、第１のアプリケーションに対応するインターフェースと同時に表示される。具体的には、図９〜図１２に示される。図９は、連絡先（すなわち第１のアプリケーション）に対応するインターフェースを示す。図１０は、連絡先と相関する他の任意のアプリケーション（すなわち第２のアプリケーション）を示し、ここでの例は、ショートメッセージサービスメッセージ、電子メール、通話履歴である。図１０に示されるように、図９に示される連絡先インターフェースを表示するデバイスが第１の入力操作を受信すると、連絡先アプリケーションと相関する第２のアプリケーションが表示される。
【００８０】
図１１は、連絡先インターフェースとショートメッセージサービスメッセージインターフェースを同時に表示する場合の例示図である。図１２は、連絡先インターフェースの連絡先名が選択されて、図１１に示される受容領域に追加されることを示す。これにより、連絡先インターフェースとショートメッセージサービスメッセージのインターフェースの統合が実現される。
【００８１】
図１３は、本発明に係るアプリケーションインターフェースを表示する装置１００の実施形態１の概略構造図である。本発明の本実施形態はアプリケーションインターフェースを表示する装置を提供し、装置は電子機器に組み込まれる。電子機器は、ＰＣ、ノートパソコン、タブレットコンピューター、ＰＤＡ、スマートフォン等の電子機器であってよい。図１３に示されるように、アプリケーションインターフェースを表示する装置１００は、取得モジュール１０、処理モジュール２０および表示モジュール３０を有する。
【００８２】
表示モジュール３０は、第１のアプリケーションに対応するインターフェースを表示するように構成される。取得モジュール１０は、表示モジュール３０が第１のアプリケーションに対応するインターフェースを表示するとき、ユーザーの第１の入力操作を取得するように構成される。処理モジュール２０は第１の処理ユニット２１を有する。第１の処理ユニット２１は、取得モジュール１０によって取得された第１の入力操作が第１の所定操作である場合、予め設定された相関情報に従って、表示モジュール３０に、第１のアプリケーションに対応するインターフェースと第２のアプリケーションに対応するインターフェースとを同時に表示するように命令するように構成される。相関情報は、第２のアプリケーションが第１のアプリケーションと相関するアプリケーションであることを示すのに用いられる。
【００８３】
例えば、本発明の本実施形態では、取得モジュール１０は電子機器のタッチ画面であってよい。タッチ画面は、加えられたスライド操作やタップ操作を検出することができる。処理モジュール２０は、上述のスライド操作やタップ操作を対応するデジタル信号に変換し、アプリケーションが対応する機能を実行できるように、デジタル信号をアプリケーション（例えば第１のアプリケーションおよび／または第２のアプリケーション）に供給することができる。加えて、処理モジュールは更に、スライド操作の方向および速度を検出し、アプリケーションが異なるインターフェース処理を実行できるように、その方向および速度に対応する特定の値をアプリケーションに返してよい。
【００８４】
加えて、アプリケーションインターフェースを表示する装置１００を統合する電子機器は、記憶モジュールを有してよい。記憶モジュールは、アプリケーションインターフェースの表示が中断された場合に現在の状態を回復できるように、カメラやフォトギャラリー等の現在のアプリケーションと、現在のアプリケーションのインターフェースの表示状態とを記憶するように構成される。
【００８５】
本発明の本実施形態におけるアプリケーションインターフェースを表示する装置は、図１に示される方法実施形態の技術的構成を実施してよい。本装置の実施原理および技術的効果は同様であるので、説明は省略する。
【００８６】
上述の実施形態では、取得モジュール１０は更に、表示モジュール３０が第１のアプリケーションに対応するインターフェースと第２のアプリケーションに対応するインターフェースとを同時に表示するとき、第２のアプリケーションに対応するインターフェースに対するユーザーの第２の入力操作を受信するように構成されてよい。この場合、第１の処理ユニット２１は更に、第２のアプリケーションが第２の入力操作に従って決定した第１のデータを、第１のアプリケーションに伝達するように構成されてよい。
【００８７】
任意に、取得モジュール１０は更に、表示モジュール３０が第１のアプリケーションに対応するインターフェースと第２のアプリケーションに対応するインターフェースとを同時に表示するとき、第１のアプリケーションに対応するインターフェースに対するユーザーの第３の入力操作を受信するように構成されてよい。このシナリオでは、第１の処理ユニット２１は更に、第１のアプリケーションが第３の入力操作に従って決定した第２のデータを、第２のアプリケーションに伝達するように構成されてよい。
【００８８】
更に、処理モジュール２０は更に第２の処理ユニットを有してよい。第２の処理ユニットは、第１の処理ユニット２１が第２のアプリケーションが第２の入力操作に従って決定した第１のデータを第１のアプリケーションに伝達した後、表示モジュール３０に、第１のアプリケーションに対応するインターフェースに第１の情報を表示するように命令するように構成されてよい。第１の情報は、第１のデータまたは第１のデータに関連する情報である。
【００８９】
処理モジュール２０は更に第３の処理ユニットを有してよい。第３の処理ユニットは、第１の処理ユニット２１が第１のアプリケーションが第３の入力操作に従って決定した第２のデータを第２のアプリケーションに伝達した後、表示モジュール３０に、第２のアプリケーションに対応するインターフェースに第２の情報を表示するように命令するように構成される。第２の情報は第２のデータまたは第２のデータに関連する情報である。
【００９０】
上記に基づき、処理モジュール２０は更に第４の処理ユニットを有してよい。第４の処理ユニットは、予め設定された相関情報に従って第１の入力操作が第２の所定操作である場合、表示モジュール３０に、表示中のインターフェースを第１のアプリケーションに対応するインターフェースから第２のアプリケーションに対応するインターフェースに切り替えるように命令するように構成される。
【００９１】
本発明の任意の実施形態では、第１の入力操作は、スライド操作、タップ操作、マルチタッチ操作、ボタン入力、セットポジション入力、タッチアンドホールド入力、音声入力、重力感知操作等の操作のうちいずれか１以上であってよい。
【００９２】
一実施方式において、第１の入力操作は第１のスライド操作であり、第１の処理ユニット２１は、特に、第１のスライド操作に対応するスライド速度またはスライド距離が第１の所定値未満である場合、予め設定された相関情報に従って、表示モジュール３０に、第１のアプリケーションに対応するインターフェースと第２のアプリケーションに対応するインターフェースとを同時に表示するように命令するように構成されてよい。
【００９３】
別の実施方式では、スライド操作は第２のスライド操作を含んでよく、第２の所定操作は第２のスライド操作であってよい。そして、第１の処理ユニット２１は、特に、第１の入力操作が第２の所定操作であるとき、予め設定された相関情報に従って、表示モジュール３０に、表示中のインターフェースを第１のアプリケーションに対応するインターフェースから第２のアプリケーションに対応するインターフェースに切り替えるように命令するように構成されてよい。
【００９４】
更に別の実施方式では、第１の入力操作はマルチタッチ操作であり、第１の処理ユニット２１は、特に、複数の接触点のうちの接触点間の距離が漸減し、且つ、複数の接触点のうち２つの接触点の距離の減少値が第１の所定距離値以上である場合、予め設定された相関情報に従って、表示モジュール３０に、第１のアプリケーションに対応するインターフェースと第２のアプリケーションに対応するインターフェースとを同時に表示するように命令するか、または、複数の接触点のうちの接触点間の距離が漸増し、複数の接触点のうち２つの接触点の距離の増加値が第２の所定距離値以上である場合、予め設定された相関情報に従って、表示モジュール３０に、第１のアプリケーションに対応するインターフェースと第２のアプリケーションに対応するインターフェースとを同時に表示するように命令するように構成されてよい。
【００９５】
更に、第２のアプリケーションが複数あり、第１の処理ユニット２１は更に、第１の入力操作が第１の所定操作である場合、予め設定された相関情報に従って、表示モジュール３０に、第１のアプリケーションに対応するインターフェース上に、複数の第２のアプリケーションの各第２のアプリケーションに対応する識別子を別々に表示するように命令し、取得モジュール１０が複数の第２のアプリケーションから１以上の識別子を選択するユーザーの操作を受信した後、表示モジュール３０に、第１のアプリケーションに対応するインターフェースと、１以上の識別子によって特定されたアプリケーションに対応するインターフェースとを同時に表示するように命令するように構成されてよい。第１のアプリケーションと相関する第２のアプリケーションは、予め設定されるか、または、ユーザーによる第１のアプリケーションおよび第２のアプリケーションの使用履歴に従って決定され、或いは別の方式で決定されてもよいが、ここでは説明を省略する。
【００９６】
図１４は、本発明に係る電子機器実施形態１の概略構造図である。図１４に示されるように、電子機器２００は、出力装置４０、入力装置５０、プロセッサ６０、記憶装置７０、電源８０等のコンポーネントを有する。これらのコンポーネントは、１以上のバスを用いて通信を行う。当業者であれば、図面に示される電子機器２００の構造が本発明の限定を構成しないことが理解できるであろう。構造はバス構造だけでなくスター構造であってもよく、或いは、更に、含まれるコンポーネントの数は図面のものより少なくても多くてもよく、或いは、いくつかの部品を組み合わせてもよく、或いは、異なる部品配置であってもよい。本発明の本実施形態では、電子機器２００は任意のモバイルまたはポータブルの電子機器であってよく、例として（ただし限定ではない）、携帯電話、モバイルコンピューター、タブレットコンピューター、ＰＤＡ、メディアプレーヤー、スマートテレビ、上述の２以上の組合わせ等が挙げられる。
【００９７】
ユーザーが電子機器２００を使用するとき、入力装置５０は、情報またはユーザー入力を受信する。記憶装置７０は、処理プロセスに関する対応するコード、構成データまたはユーザーデータを保存する。プロセッサ６０は、該対応するコードを実行し、受信された情報を処理して、対応するインターフェースおよびデータを生成し出力し、それらは最終的に出力装置４０によってユーザーに提示される。
【００９８】
具体的には、出力装置４０は、第１のアプリケーションに対応するインターフェースを表示するように構成される。入力装置５０は、出力装置４０が第１のアプリケーションに対応するインターフェースを表示するとき、ユーザーの第１の入力操作を受信するように構成される。プロセッサ６０は、第１の入力操作が第１の所定操作である場合、予め設定された相関情報に従って、出力装置４０に、第１のアプリケーションに対応するインターフェースと第２のアプリケーションに対応するインターフェースとを同時に表示するように命令するように構成される。相関情報は、第２のアプリケーションが第１のアプリケーションと相関するアプリケーションであることを示すのに用いられる。
【００９９】
なお、入力装置５０は、ユーザーと電子機器２００とのインタラクションおよび／または電子機器２００への情報入力を実施するように構成される。例えば、入力装置５０は、ユーザーによって入力された数字または文字の情報を受信して、ユーザー設定または機能制御に関する信号入力を生成してよい。本発明の具体的な実施形態では、入力装置５０はタッチパネルであってよく、或いは、例えば実体的入力キーやマイク等の別の人間‐マシンインタラクションインターフェースであってよく、或いは、例えばカメラ等の外部情報を取得する別の装置であってよい。タッチパネル（タッチスクリーンまたはタッチ画面とも呼ばれる）は、タッチや接近の操作動作を収集することができ、例えば、ユーザーが指やスタイラス等の任意の適切な物体またはアクセサリを用いて、タッチパネルに対して行うかタッチパネル付近の位置で行う操作動作を収集することができ、予め設定されたプログラムに従って、対応する接続装置が駆動される。任意に、タッチパネルは２つの要素、タッチ検出装置およびタッチコントローラを有してよい。タッチ検出装置は、ユーザーのタッチ操作を検出し、検出されたタッチ操作を電気信号に変換し、電気信号をタッチコントローラに送信する。タッチコントローラはタッチ検出装置から電気信号を受信し、電気信号を接触点座標に変換してから、接触点座標をプロセッサ６０に送信する。タッチコントローラは更に、プロセッサ６０から送信されるコマンドを受信し実行してよい。加えて、タッチパネルは、抵抗型、容量型、赤外線（Infrared）、表面弾性波等の複数の種類で実現されてよい。本発明の別の実施形態では、入力装置５０が採用する実体的入力キーは、物理的キーボード、機能的キー（例えば音量制御キーや電源キー）、トラックボール、マウス、ジョイスティック等のうち１以上を含んでよい（ただしこれらに限定されない）。マイクの形をとる入力装置５０は、ユーザーや環境によって入力された音声を収集し、音声を電気信号の形のコマンドに変換してよく、また、プロセッサ６０によって実行されてよい。
【０１００】
本発明の他の実施形態では、入力装置５０は様々な種類の検出コンポーネント（例えばホールコンポーネント）であってもよく、力、トルク、圧力、応力、位置、変位、速度、加速度、角度、角速度、回転数、回転速度、作動状態が変化した時間等の、電子機器の物理量を検出し、物理量を電気量に変換して検出および制御を行うように構成される。その他の検出コンポーネントとして、更に、重力センサー、３軸加速度計、ジャイロスコープ等が挙げられる。
【０１０１】
プロセッサ６０は電子機器２００の制御中心であり、様々なインターフェースおよび配線を用いて電子機器２００全体の様々な部品と接続され、記憶装置７０に記憶されたソフトウェアプログラムおよび／またはモジュールを作動または実行し、記憶装置７０に記憶されたデータを呼び出すことにより、電子機器２００の様々な機能を実施し、かつ／またはデータを処理する。プロセッサ６０は集積回路（Integrated  Circuit、略称ＩＣ）から構成されてよく、例えば単一のパッケージＩＣから構成されてよく、同じ機能または異なる機能をもつ接続された複数のパッケージＩＣから構成されてもよい。例えば、プロセッサ６０は中央演算処理装置（Central  Processing  Unit、略称ＣＰＵ）のみを有してよく、或いは、ＧＰＵと、デジタル信号プロセッサ（Digital  Signal  Processor、略称ＤＳＰ）と、通信ユニットの制御チップ（例えばベースバンドチップ）との組合わせであってよい。本発明の本実施形態では、ＣＰＵは単一のコンピューティングコアであってよく、或いは複数のコンピューティングコアを有してよい。
【０１０２】
出力装置４０は、画像出力装置および音声出力装置を有する（ただし限定ではない）。画像出力装置は、文字、写真、および／またはビデオを出力するように構成される。画像出力装置の例として、液晶ディスプレイ（Liquid  Crystal  Display、略称ＬＣＤ）、有機発光ダイオード（Organic  Light-Emitting  Diode、略称ＯＬＥＤ）、電界放出ディスプレイ（field  emission  display、略称ＦＥＤ）等の形で構成される表示パネルが挙げられる。或いは、画像出力装置は反射型ディスプレイ（例えば電気泳動（electrophoretic）ディスプレイや、光の干渉変調（Interferometric  Modulation  of  Light）技術を利用するディスプレイを含んでよい。画像出力装置は単一のディスプレイを含んでよく、サイズの異なる複数のディスプレイを含んでもよい。本発明の具体的な実施形態では、上述の入力装置５０に採用されるタッチパネルは、出力装置４０の表示パネルとして採用されてもよい。例えば、タッチパネルは、タッチパネルへのタッチまたは接近のジェスチャー操作を検出した後、プロセッサ６０にジェスチャー操作を送信して、タッチイベントの種類を決定する。それから、プロセッサ６０は、タッチイベントの種類に基づいて、対応する視覚的出力を表示パネル上に提供する。図１４では、入力装置５０および出力装置４０は２つの独立した部品として用いられて、電子機器２００の入出力機能を実現するが、いくつかの実施形態では、タッチパネルと表示パネルとが一体化されて、電子機器の入出力機能を実現してよい。例えば、画像出力装置は、様々なグラフィカル・ユーザー・インターフェース（Graphical  User  Interface、略称ＧＵＩ）を表示して仮想制御コンポーネントとして用いてよい。グラフィカル・ユーザー・インターフェースは、ユーザーがタッチ方式で操作できるように、ウィンドウ、スクロールバー、アイコンおよびクリップボードを含む（ただしこれらに限定されない）。
【０１０３】
本発明の具体的な実施形態では、画像出力装置は、プロセッサ６０によって出力されるビデオにフィルタリングおよび増幅を行うように構成されるフィルタおよび増幅器を有する。音声出力装置は、プロセッサ６０によって出力される音声信号をデジタルフォーマットからアナログフォーマットに変換するように構成されるデジタルアナログコンバータを有する。
【０１０４】
記憶装置７０は、ソフトウェアプログラムおよびモジュールを保存するように構成されてよい。プロセッサ６０は、記憶装置７０に記憶されたソフトウェアプログラムおよびモジュールを実行することにより、電子機器２００の様々な機能的アプリケーションを実行し、データ処理を実現する。記憶装置７０は主にプログラム記憶領域およびデータ記憶領域を有する。プログラム記憶領域は、オペレーティングシステムと、音声再生プログラムや画像再生プログラム等の、少なくとも１つの機能によって必要とされるアプリケーションプログラムとを記憶してよい。データ記憶領域は、電子機器２００の使用に従って作成されるデータ（オーディオデータや電話帳等）等を記憶してよい。本発明の具体的な実施形態では、記憶装置７０は揮発性メモリを含んでよく、例えば、不揮発性ダイナミックランダムアクセスメモリ（Nonvolatile  Random  Access  Memory、略称ＮＶＲＡＭ）、相変化ランダムアクセスメモリ（Phase  Change  RAM、略称ＰＲＡＭ）、磁気抵抗ランダムアクセスメモリ（Magnetoresistive  RAM、略称ＭＲＡＭ）等を含んでよく、更に、例えば少なくとも１つのディスク記憶コンポーネント、電気的消去可能プログラマブルリードオンリーメモリ（Electrically  Erasable  Programmable  Read-Only  Memory、略称ＥＥＰＲＯＭ）等の不揮発性メモリを含んでよく、或いは、ＮＯＲフラッシュメモリ（NOR  flash  memory）やＮＡＮＤフラッシュメモリ（NAND  flash  memory）等のフラッシュメモリコンポーネントを含んでよい。不揮発性メモリは、オペレーティングシステムと、プロセッサ６０によって実行されるアプリケーションプログラムとを記憶する。プロセッサ６０は、不揮発性メモリからメモリに実行プログラムおよびデータをロードし、デジタルコンテンツを多くの記憶装置に記憶する。オペレーティングシステムは、メモリ管理、記憶装置７０の制御、電源管理等の通常のシステムタスクを制御および管理し、各種ソフトウェアとハードウェア間の通信を促進するように構成される各種コンポーネントおよび／またはドライバを有する。本発明の本実施形態では、オペレーティングシステムは、Ｇｏｏｇｌｅ社のＡｎｄｒｏｉｄオペレーティングシステム、Ａｐｐｌｅ社が開発したｉＯＳオペレーティングシステム、Ｍｉｃｒｏｓｏｆｔ社が開発したＷｉｎｄｏｗｓオペレーティングシステム等であってよく、或いは、Ｖｘｗｏｒｋｓ等の埋め込み型オペレーティングシステムであってよい。
【０１０５】
アプリケーションプログラムは電子機器２００にインストールされる任意のアプリケーションを含み、ブラウザ、電子メール、インスタントメッセージサービス、文書処理、バーチャルキーボード、ウィンドウウィジェット（Ｗｉｄｇｅｔ）、暗号化、デジタル著作権管理、音声認識、音声複製、測位（全地球測位システムによって提供される機能等）、音楽再生等を含む（ただし限定ではない）。
【０１０６】
電源８０は、動作状態を維持するために、電子機器２００の様々な部品に電力を供給するように構成される。一般に、電源８０は内蔵電池（例えば一般のリチウムイオン電池やニッケル水素化物電池）であってよく、或いは、電子機器に直接電力を供給する外部電源（例えばＡＣアダプタ）を含んでもよい。本発明のいくつかの実施形態では、電源８０は更に広範に定義されてよく、例えば、電源管理システム、充電システム、電源故障検知回路、電力コンバータまたはインバータ、電源状態インジケータ（例えば発光ダイオード）その他の、電子機器２００電力の生成、管理および供給に関するコンポーネントを含んでよい。
【０１０７】
本発明の本実施形態における電子機器は、図１に示される方法実施形態の技術的構成を実行してよい。実施原理および技術的効果は同様であるので、説明は省略する。
【０１０８】
なお、少なくとも１つの第２のアプリケーションが存在する。加えて、第１の入力操作は、スライド操作、タップ操作、マルチタッチ操作、ボタン入力、セットポジション入力、タッチアンドホールド入力、音声入力および重力感知操作のうちいずれか１以上であってよい。
【０１０９】
上述の実施形態において、入力装置５０は更に、出力装置４０が第１のアプリケーションに対応するインターフェースと、第２のアプリケーションに対応するインターフェースとを同時に表示したとき、第２のアプリケーションに対応するインターフェースに対するユーザーの第２の入力操作を受信するように構成されてよい。任意に、プロセッサ６０は更に、第２のアプリケーションが第２の入力操作に従って決定した第１のデータを、第１のアプリケーションに伝達するように構成されてよい。
【０１１０】
上述の実施形態において、入力装置５０は更に、出力装置４０が第１のアプリケーションに対応するインターフェースと、第２のアプリケーションに対応するインターフェースとを同時に表示したとき、第１のアプリケーションに対応するインターフェースに対するユーザーの第３の入力操作を受信するように構成されてよい。任意に、プロセッサ６０は更に、第１のアプリケーションが第３の入力操作に従って決定した第２のデータを、第２のアプリケーションに伝達するように構成されてよい。
【０１１１】
上述の実施形態に基づき、具体的な実施方式では、プロセッサ６０は更に、第２のアプリケーションが第２の入力操作に従って決定した第１のデータを第１のアプリケーションに伝達した後、出力装置４０に、第１のアプリケーションに対応するインターフェースに第１の情報を表示するように命令するように構成されてよい。第１の情報は、第１のデータまたは第１のデータに関連する情報である。
【０１１２】
別の具体的な実施方式では、プロセッサ６０は更に、第１のアプリケーションが第３の入力操作に従って決定した第２のデータを第２のアプリケーションに伝達した後、出力装置４０に、第２のアプリケーションに対応するインターフェースに第２の情報を表示するように命令するように構成されてよい。第２の情報は第２のデータまたは第２のデータに関連する情報である。
【０１１３】
更に、プロセッサ６０は更に、第１の入力操作が第２の所定操作である場合、予め設定された相関情報に従って、出力装置４０に、表示中のインターフェースを第１のアプリケーションに対応するインターフェースから第２のアプリケーションに対応するインターフェースに切り替えるように命令するように構成されてよい。
【０１１４】
具体的な実施方式において、第１の入力操作は第１のスライド操作であり、プロセッサ６０が、第１の入力操作が第１の所定操作である場合、予め設定された相関情報に従って、出力装置４０に、第１のアプリケーションに対応するインターフェースと第２のアプリケーションに対応するインターフェースとを同時に表示するように命令することは、特に、第１のスライド操作に対応するスライド速度またはスライド距離が第１の所定値未満であるとき、プロセッサ６０が、予め設定された相関情報に従って、出力装置４０に、第１のアプリケーションに対応するインターフェースと第２のアプリケーションに対応するインターフェースとをように命令することである。
【０１１５】
別の具体的な実施方式では、スライド操作は第２のスライド操作を含んでよく、第２の所定操作は第２のスライド操作であってよい。プロセッサ６０が、第１の入力操作が第２の所定操作である場合、予め設定された相関情報に従って、出力装置４０に、表示中のインターフェースを第１のアプリケーションに対応するインターフェースから第２のアプリケーションに対応するインターフェースに切り替えるように命令することは、特に、プロセッサ６０が、第１の入力操作が第２の所定操作である場合、予め設定された相関情報に従って、出力装置４０に、インターフェースを第１のアプリケーションに対応するインターフェースから第２のアプリケーションに対応するインターフェースに切り替えるように命令することである。
【０１１６】
更に別の具体的な実施方式では、第１の入力操作はマルチタッチ操作であり、プロセッサ６０が、第１の入力操作が第１の所定操作である場合、予め設定された相関情報に従って、出力装置４０に、第１のアプリケーションに対応するインターフェースと第２のアプリケーションに対応するインターフェースとを同時に表示するように命令することは、特に、複数の接触点のうちの接触点間の距離が漸減し、且つ、複数の接触点のうち２つの接触点の距離の減少値が第１の所定距離値以上である場合、プロセッサ６０が、予め設定された相関情報に従って、出力装置４０に、第１のアプリケーションに対応するインターフェースと第２のアプリケーションに対応するインターフェースとを同時に表示するように命令するか、または、複数の接触点のうちの接触点間の距離が漸増し、且つ、複数の接触点のうち２つの接触点の距離の増加値が第２の所定距離値以上である場合、プロセッサ６０が、予め設定された相関情報に従って、出力装置４０に、第１のアプリケーションに対応するインターフェースと第２のアプリケーションに対応するインターフェースとを同時に表示するように命令することである。
【０１１７】
上述の実施形態において、第２のアプリケーションは複数あってよい。プロセッサ６０が、第１の入力操作が第１の所定操作である場合、予め設定された相関情報に従って、出力装置４０に、第１のアプリケーションに対応するインターフェースと第２のアプリケーションに対応するインターフェースとを同時に表示するように命令することは、特に、プロセッサ６０が、第１の入力操作が第１の所定操作である場合、予め設定された相関情報に従って、出力装置４０に、第１のアプリケーションに対応するインターフェース上に、複数の第２のアプリケーションの各第２のアプリケーションに対応する識別子を別々に表示するように命令し、入力装置５０が複数の第２のアプリケーションから１以上の識別子を選択するユーザーの操作を受信した後、プロセッサ６０が、出力装置４０に、第１のアプリケーションに対応するインターフェースと、１以上の識別子によって特定されたアプリケーションに対応するインターフェースとを同時に表示するように命令することである。
【０１１８】
第１のアプリケーションに相関する第２のアプリケーションは、予め設定されるか、または、ユーザーによる第１のアプリケーションおよび第２のアプリケーションの使用履歴に従って決定されてよく、或いは、別の方式で決定されてよい。
【０１１９】
当業者であれば、方法実施形態のステップの一部または全部は、関連ハードウェアに命令するプログラムによって実践されてよいことが理解できるであろう。プログラムは、コンピューター可読記憶媒体に保存されてよい。プログラムが実行されると、方法実施形態のステップが実行される。上述の記憶媒体は、ＲＯＭ、ＲＡＭ、磁気ディスク、光学ディスク等の、プログラムコードを保存することのできる任意の媒体であってよい。
【０１２０】
最後に留意すべきこととして、上述の実施形態は本発明の技術的構成を説明することを意図するものに過ぎず、本発明を限定する意図はない。上述の実施形態を参照して本発明を詳細に説明したが、当業者であれば、本発明の実施形態の技術的構成の範囲から逸脱することなく上述の実施形態に記載の技術的構成に変更を行えること、或いは、それらの技術的特徴の一部または全部に対して均等置換を行えることが理解できるであろう。
【図１】
2020053065.tif 000003
【図２】
2020053065.tif 000004
【図３】
2020053065.tif 000005
【図４】
2020053065.tif 000006
【図５】
2020053065.tif 000007
【図６】
2020053065.tif 000008
【図７】
2020053065.tif 000009
【図８】
2020053065.tif 000010
【図９】
2020053065.tif 000011
【図１０】
2020053065.tif 000012
【図１１】
2020053065.tif 000013
【図１２】
2020053065.tif 000014
【図１３】
2020053065.tif 000015
【図１４】
2020053065.tif 000016
【外国語明細書】
2020053065000001.pdf